(57)【特許請求の範囲】
【請求項１】
表示部と、
当該表示部が遮蔽状態にあるか否かを検出可能な遮蔽状態検出部と、
電子機器の電力を制御し、低消費電力モードを実行する制御部と、
を備え、
前記遮蔽状態検出部は、前記表示部を有する第１面に対向する第２面に配置され、物体の近接を検出しなかった場合に、前記表示部が遮蔽状態であると検出し、
前記制御部は、前記低消費電力モードにある場合に、ユーザ操作に起因しないイベントが発生した際には、前記遮蔽状態検出部で前記表示部が遮蔽状態であると検出されたときは、前記低消費電力モードを維持することを特徴とする電子機器。
【請求項２】
前記制御部は、前記低消費電力モードにある場合に、前記ユーザ操作に起因しないイベントが発生した際に、前記遮蔽状態検出部を起動させることを特徴とする請求項１に記載の電子機器。
【請求項３】
前記低消費電力モードは、少なくとも前記表示部の低電力制御を含むことを特徴とする請求項１又は請求項２に記載の電子機器。
【請求項４】
前記ユーザ操作に起因しないイベントは、音声着信、メール着信、及びアラームのうちの少なくとも１つであることを特徴とする請求項１〜請求項３のいずれか１つに記載の電子機器。
【請求項５】
表示部と、当該表示部を有する第１面に対向する第２面に配置されるとともに前記表示部の遮蔽状態を検出する遮蔽状態検出部と、を備えた電子機器の制御方法であって、
物体の近接を前記遮蔽状態検出部が検出しなかった場合に、前記表示部が遮蔽状態であると検出する工程と、
ユーザ操作に起因しないイベントの発生を検出する工程と、
前記ユーザ操作に起因しないイベントの発生を検出した場合に、前記遮蔽状態検出部が、前記表示部が遮蔽状態であるか否かを検出する工程と、
低消費電力モードにある場合に、前記ユーザ操作に起因しないイベントの発生が検出され、前記遮蔽状態検出部で前記表示部が遮蔽状態であると検出されたときは、前記低消費電力モードを維持する工程と、
を含む電子機器の制御方法。
【請求項６】
表示部と、当該表示部を有する第１面に対向する第２面に配置され、前記表示部の遮蔽状態を検出する遮蔽状態検出部と、を備えた電子機器に搭載されるプログラムであって、
物体の近接を前記遮蔽状態検出部が検出しなかった場合に、前記表示部が遮蔽状態であると検出する工程と、
ユーザ操作に起因しないイベントの発生を検出する工程と、
前記ユーザ操作に起因しないイベントの発生を検出した場合に、前記遮蔽状態検出部が、前記表示部が遮蔽状態であるか否かを検出する工程と、
低消費電力モードにある場合に、前記ユーザ操作に起因しないイベントの発生が検出され、前記遮蔽状態検出部で前記表示部が遮蔽状態であると検出されたときは、前記低消費電力モードを維持する工程と、
をコンピュータに実行させることを特徴とするコンピュータが実行可能なプログラム。
【発明の詳細な説明】
【技術分野】
【０００１】
本発明は、電子機器、その制御方法、及びコンピュータが実行可能なプログラムに関する。
【背景技術】
【０００２】
携帯電話機、ＰＤＡ（Ｐｅｒｓｏｎａｌ  Ｄｉｇｉｔａｌ  Ａｓｓｉｓｔａｎｔ）、及びデジタルカメラ等に代表される電子機器は、携帯中の使用はバッテリによる駆動がなれている。現在のバッテリの性能では、数時間の連続使用しかできないため、ユーザにとって不便である。かかる問題を解決するために、電子機器の使用時間が長くなるように電源供給状態を制御し、省電力化を図っている。例えば、所定時間入力がなされない場合に、表示部のバックライトを消灯したり、或いは、低消費電力モードへ移行するといったような制御によって低消費電力化を実現している。
【０００３】
また、下記特許文献１では、検出されたバッテリ容量に応じて表示領域やバックライトの点灯領域を変更して消費電力を抑制する電子機器が開示されている。
【先行技術文献】
【特許文献】
【０００４】
【特許文献１】特開２００２−３７４３４９号公報
【発明の概要】
【発明が解決しようとする課題】
【０００５】
しかしながら、上述したような方法では、表示部が露出しているストレートタイプの電子機器においては、着信等のイベントがあった際には、必ず表示部が表示されてしまう。このように、表示部が遮蔽されている状態においても表示がされてしまうため、電力を無駄に消費してしまうという問題がある。
【０００６】
本発明は、上記に鑑みてなされたものであり、表示部が遮蔽されている状態において、電力を無駄に消費しないことが可能な電子機器、その制御方法、及びコンピュータが実行可能なプログラムを提供することを目的とする。
【課題を解決するための手段】
【０００７】
上述した課題を解決し、目的を達成するために、本発明は、表示部と、当該表示部が遮蔽状態にあるか否かを検出可能な遮蔽状態検出部と、電子機器の電力を制御し、低消費電力モードを実行する制御部と、を備え、前記遮蔽状態検出部は、前記表示部を有する第１面に対向する第２面に配置され、物体の近接を検出しなかった場合に、前記表示部が遮蔽状態であると検出し、前記制御部は、前記低消費電力モードにある場合に、ユーザ操作に起因しないイベントが発生した際には、前記遮蔽状態検出部で前記表示部が遮蔽状態であると検出されたときは、前記低消費電力モードを維持することを特徴とする。
【０００８】
また、本発明の好ましい態様によれば、前記制御部は、前記低消費電力モードにある場合に、前記ユーザ操作に起因しないイベントが発生した際に、前記遮蔽状態検出部を起動させることが望ましい。
【０００９】
また、本発明の好ましい態様によれば、前記低消費電力モードは、少なくとも前記表示部の低電力制御を含むことが望ましい。
【００１０】
また、本発明の好ましい態様によれば、前記ユーザ操作に起因しないイベントは、音声着信、メール着信、及びアラームのうちの少なくとも１つであることが望ましい。
【００１１】
また、上述した課題を解決し、目的を達成するために、本発明は、表示部と、当該表示部を有する第１面に対向する第２面に配置されるとともに前記表示部の遮蔽状態を検出する遮蔽状態検出部と、を備えた電子機器の制御方法であって、物体の近接を前記遮蔽状態検出部が検出しなかった場合に、前記表示部が遮蔽状態であると検出する工程と、ユーザ操作に起因しないイベントの発生を検出する工程と、前記ユーザ操作に起因しないイベントの発生を検出した場合に、前記遮蔽状態検出部が、前記表示部が遮蔽状態であるか否かを検出する工程と、低消費電力モードにある場合に、前記ユーザ操作に起因しないイベントの発生が検出され、前記遮蔽状態検出部で前記表示部が遮蔽状態であると検出されたときは、前記低消費電力モードを維持する工程と、を含む。
【００１２】
また、上述した課題を解決し、目的を達成するために、本発明は、表示部と、当該表示部を有する第１面に対向する第２面に配置され、前記表示部の遮蔽状態を検出する遮蔽状態検出部と、を備えた電子機器に搭載されるプログラムであって、物体の近接を前記遮蔽状態検出部が検出しなかった場合に、前記表示部が遮蔽状態であると検出する工程と、ユーザ操作に起因しないイベントの発生を検出する工程と、前記ユーザ操作に起因しないイベントの発生を検出した場合に、前記遮蔽状態検出部が、前記表示部が遮蔽状態であるか否かを検出する工程と、低消費電力モードにある場合に、前記ユーザ操作に起因しないイベントの発生が検出され、前記遮蔽状態検出部で前記表示部が遮蔽状態であると検出されたときは、前記低消費電力モードを維持する工程と、をコンピュータに実行させることを特徴とする。
【発明の効果】
【００１８】
本発明にかかる電子機器は、表示部が遮蔽されている状態において、電力を無駄に消費しないことが可能となるという効果を奏する。  
【図面の簡単な説明】
【００１９】
【図１】図１は、携帯電子機器の一実施形態の概略の外観構成を示す斜視図である。
【図２】図２は、図１に示す携帯電子機器を示す正面図である。
【図３】図３は、図１に示す携帯電子機器を示す背面図である。
【図４】図４は、携帯電話端末の構成を示すブロック図である。
【図５】図５は、図４の制御部における低消費電力モードにある場合の処理の一例を説明するためのフローチャートである。
【図６】図６は、実施の形態２に係る携帯電子機器を示す背面図である。
【図７】図７は、実施の形態２に係る携帯電話端末の構成を示すブロック図である。
【図８】図８は、図７の制御部における低消費電力モードにある場合の処理の一例を説明するためのフローチャートである。
【図９】図９は、実施の形態３に係る携帯電話端末の構成を示すブロック図である。
【図１０】図１０は、図９の制御部における低消費電力モードにある場合の処理の一例を説明するためのフローチャートである。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器の一例として携帯電話端末について説明するが、本発明の適用対象は携帯電話端末に限定されるものではなく、利用者が筐体の向きを変えることができる各種電子機器、例えば、ＰＨＳ（Personal  Handy-phone  System）、ＰＤＡ（Personal  Digital  Assistant）、ポータブルナビゲーション装置、ゲーム機等に対しても本発明は適用できる。なお電子機器としては、携帯型の電子機器を用いることが好ましい。
【００２１】
（実施の形態１）
まず、図１〜図３を参照しながら、本発明に係る電子機器の一実施形態である携帯電話端末１の外観構成について説明する。図１は、携帯電話端末１の外観を示す斜視図である。図２は、携帯電話端末の外観を示す正面図である。図３は、携帯電話端末の外観を示す背面図である。
【００２２】
図１〜図３に示すように、携帯電話端末１は、面積が他の面よりも広い２つの面を有する略六面体形状の筐体２０を備えている。筐体２０の表面のうち一方側の面を第１面（正面）１Ａ、第１面１Ａに対向する他方側の面を第２面（背面）１Ｂとする。筐体２０の表面のうち一定の厚みとなる面（正面と背面に挟まれた面）を側面とする。
【００２３】
携帯電話端末１は、図２に示すように、筐体２０の正面１Ａに、タッチセンサ２Ａ及び表示部２Ｂで構成されるタッチパネル２と、入力部３と、遮蔽状態検出部４と、第１レシーバ７と、第１マイク８とが配置されている。タッチパネル２は、正面１Ａの略全域に配置されている。入力部３と第１マイク８とは、正面１Ａの長手方向の一方の端部に配置されている。第１レシーバ７と遮蔽状態検出部４は、正面１Ａの長手方向の他方の端部に隣接して配置されている。すなわち、第１レシーバ７と第１マイク８とは、長手方向の両端にそれぞれ配置されている。遮蔽状態検出部４は、同一面に形成されている表示部２Ｂ（タッチパネル２）が遮蔽状態にあるか否かを検出して検出信号を出力する。遮蔽状態検出部４は、後述するように、例えば、近接センサで構成することができ、物体の近接を検出した場合に、表示部２Ｂが遮蔽状態にあると検出することができる。
【００２４】
筐体２０は、１つの箱形状であるため、タッチパネル２（表示部２Ｂ、タッチセンサ２Ａ）の表面は、常時露出しており、筐体２０によって隠れない構成となっている。
【００２５】
タッチパネル２は、正面１Ａに設けられ、文字、図形、画像等を表示するとともに、指、スタイラス、ペン等（以下、「指示体」と称する）を用いてタッチパネル２に対して行われる各種操作を検出する。なお、タッチパネル２が各種操作を検出する方式は、静電容量式、感圧式等の任意の方式であってよい。入力部３は、所定の機能が割り当てられたボタン３Ａ、ボタン３Ｂ及びボタン３Ｃ等の複数のボタンからなる。
【００２６】
図４は、携帯電話端末１の構成を示すブロック図である。図４に示すように、携帯電話端末１は、タッチパネル２と、入力部３と、遮蔽状態検出部４と、電源部５と、通信部６と、第１レシーバ（第１音声出力部）７と、第１マイク（第１音声入力部）８と、記憶部９と、制御部１０と、ＲＡＭ（Random  Access  Memory）１１とを備えている。
【００２７】
タッチパネル２は、表示部２Ｂと、表示部２Ｂに重畳されたタッチセンサ２Ａとを有する。タッチセンサ２Ａは、指示体を用いてタッチパネル２に対して行われた各種操作を、操作が行われた場所のタッチパネル２上での位置とともに検出し、制御部１０に通知する。タッチセンサ２Ａによって検出される操作には、タッチ操作、スワイプ操作、及びピッチ操作等が含まれる。表示部２Ｂは、例えば、液晶ディスプレイ（ＬＣＤ：Liquid  Crystal  Display）や、有機ＥＬ（Organic  Electro−Luminescence）パネルなどで構成され、文字や図形等を表示する。
【００２８】
入力部３は、物理的なボタン３Ａ〜３Ｃ等を通じて利用者の操作を受け付け、受け付けた操作に対応する信号を制御部１０へ送信する。電源部５は、制御部１０の制御に従って、蓄電池又は外部電源から得られる電力を、制御部１０を含む携帯電話端末１の各機能部へ供給する。
【００２９】
通信部６は、基地局によって割り当てられるチャネルを介し、基地局との間でＣＤＭＡ方式などによる無線信号回線を確立し、基地局との間で電話通信及び情報通信を行う。第１レシーバ７は、制御部１０から送信される音声信号を音声として出力する。第１マイク８は、利用者等の音声を音声信号へ変換して制御部１０へ出力する。
【００３０】
遮蔽状態検出部４は、例えば、近接センサで構成することができる。近接センサは、所定の方向にある物体との距離を測定する計測器である。近接センサは、筐体２０の正面１Ａに配置され、赤外線や、超音波、レーザ光等の計測波を射出する送信部と、筐体２０の正面１Ａに配置され、計測波を受信する受信部とを備え、送信部から射出され対象物体に当たって反射された計測波を受信部で受信する。近接センサは、受信部が受信した計測波の強度や、計測波の入射角、送信部で送信してから受信部が受信するまでの時間等に基づいて、近接センサと対象物体との距離を算出する。遮蔽状態検出部４は、近接センサで物体の近接を検出した場合に、表示部２Ｂ（タッチパネル２）が遮蔽状態にあるとする検出信号を制御部１０に出力する。
【００３１】
ＲＡＭ１１は、制御部１０によって実行されるプログラムの命令、制御部１０が参照するデータ、制御部１０の演算結果等が一時的に記憶される記憶領域として利用される。
【００３２】
記憶部９は、例えば、不揮発性メモリや磁気記憶装置であり、制御部１０での処理に利用されるプログラムやデータを保存する。記憶部９に記憶されるプログラムには、携帯電話端末１の基本的な機能を実現するＯＳ（不図示）、デバイスをハードウェア制御するためのデバイス・ドライバ（不図示）、メールプログラム９Ａ、ブラウザプログラム９Ｂ、表示通知制御プログラム９Ｃ、及び電力制御プログラム９Ｄ等が含まれる。また、記憶部９は、アドレス帳データ等のその他のプログラムやデータも記憶する。なお、記憶部９は、メモリカード等の可搬の記憶媒体と、記憶媒体の読み取り装置との組み合わせとして構成されていてもよい。
【００３３】
メールプログラム９Ａは、電子メール機能を実現するための機能を提供する。ブラウザプログラム９Ｂは、ＷＥＢブラウジング機能を実現するための機能を提供する。表示通知制御プログラム９Ｃは、他のプログラム等の機能で発生したイベントを画面表示や他の手段で通知する機能及び表示部２Ｂの表示を制御する機能を実現するための機能を提供する。電力制御プログラム９Ｄは、省電力モードを含む電力制御機能を実現するための機能を提供する。
【００３４】
制御部１０は、例えば、ＣＰＵ（Central  Processing  Unit）、マイクロプロセッサ、ＤＳＰ等であり、携帯電話端末１の動作を統括的に制御して各種の機能を実現する。具体的には、制御部１０は、記憶部９に記憶されているデータやＲＡＭ１１に展開したデータを必要に応じて参照しつつ、記憶部９に記憶されているプログラムに含まれる命令を実行して、表示部２Ｂや、通信部６等を制御することによって各種機能を実現する。なお、制御部１０が実行するプログラムや参照するデータは、通信部６による無線通信でサーバ装置からダウンロードすることとしてもよい。
【００３５】
制御部１０は、例えば、メールプログラム９Ａを実行することによって、電子メール機能を実現する。また、制御部１０は、表示通知制御プログラム９Ｃを実行することによって、他のプログラム等の機能で発生したイベントを画面表示や他の手段で通知する機能及び表示部２Ｂの表示を制御する機能を実現するための機能を実現する。また、制御部１０は、電力制御プログラム９Ｄを実行することによって、電源部５から携帯電話端末１の各部への電力供給を制御する機能を実現する。なお、制御部１０は、ＯＳによって提供されるマルチタスク機能によって、複数のプログラムを並行して実行できるものとする。
【００３６】
また、制御部１０は、タッチパネル２や入力部３等から一定期間入力操作がない場合には、低消費電力モードに移行して、電力消費量を低減する。制御部１０は、低消費電力モードでは、タッチパネル２の省電力制御（例えば、表示部２Ｂの消灯、タッチセンサ２ＡのＯＦＦ）を含む各部の省電力制御を行う。また、制御部１０は、一定期間入力操作がない場合には、遮蔽状態検出部４をＯＦＦとする。
【００３７】
例えば、電子機器１がカバンやポケットの中にあったり、また、表示部２Ｂが何かで覆われていたり、机などに筐体の正面１Ａを向けて置かれている場合は、ユーザは表示部２Bの画面が見えない（操作できない）状況にある。かかる状況で、低消費電力モードとなっている場合に、ユーザ操作に起因しないイベント（例えば、メール着信、音声着信、アラーム報音等）が発生した場合に、低消費電力モードを解除して、表示部２Ｂの表示等を行うことは、ユーザは携帯電話端末１を使用しないのに、低消費電力モードが解除されてしまうため、無駄な電力を消費してしまう。そこで、本実施の形態では、制御部１０は、低消費電力モードにある場合に、ユーザ操作に起因しないイベントが発生した際には、遮蔽状態検出部４が、表示部２Ｂが遮蔽状態であると検出したときは、低消費電力モードを維持する制御を行う。
【００３８】
図５は、制御部１０における低消費電力モードにある場合の処理の一例を説明するためのフローチャートである。図５において、電子機器１は低消費電力モード（表示部２Ｂが消灯状態、タッチセンサ２ＡがＯＦＦ状態）にあるものとする。まず、制御部１０は、ユーザ操作に起因しないイベント（例えば、メール着信、音声着信、アラーム等）が発生したか否かを判断する（ステップＳ１）。制御部１０は、ユーザ操作に起因しないイベントが発生した場合には（ステップＳ１の「Ｙｅｓ」）、遮蔽状態検出部４を起動し（ステップＳ２）、表示部２Ｂが遮蔽状態にあるか否かを検出させる（ステップＳ３）。制御部４は、遮蔽状態検出部４の検出が終了すると、遮蔽状態検出部４をＯＦＦとする。
【００３９】
表示部２Ｂが遮蔽状態にある場合には（ステップＳ４の「Ｙｅｓ」）、制御部１０は、低消費電力モードを維持して（表示部２Ｂの消灯状態及びタッチセンサ２ＡのＯＦＦを維持）、第１レシーバ７の音声出力及び第１マイク８の音声入力を可能とする（ステップＳ５）。他方、表示部２Ｂが遮蔽状態にない場合には（ステップＳ４の「Ｎｏ」）、制御部１０は、低消費電力モードを解除して（表示部２Ｂを点灯及びタッチセンサ２ＡをＯＮとする）、第１レシーバ７の音声出力及び第１マイク８の音声入力を可能とする（ステップＳ６）。
【００４０】
なお、遮蔽状態検出部４を筐体２０の正面１Ａに配置することとしたが、背面１Ｂに配置することにしてもよい。この場合は、遮蔽状態検出部４が物体の近接を検出しなかった場合に、表示部２Ｂが遮蔽状態であると検出する。
【００４１】
以上説明したように、本実施の形態によれば、筐体２０と、筐体２０の第１面（正面）１Ａに配置され、その表面が露出している表示部２Ｂと、筐体２０に配置され、表示部が遮蔽状態にあるか否かを検出可能な遮蔽状態検出部４と、携帯電話端末１の電力を制御し、低消費電力モードを実行する制御部１０と、を備え、制御部１０は、低消費電力モードにある場合に、ユーザ操作に起因しないイベントが発生した際には、遮蔽状態検出部４で表示部２Ｂが遮蔽状態であると検出されたときは、低消費電力モードを維持することとしたので、表示部２Ｂが遮蔽状態（隠れている状態）にある場合にイベントが発生しても、低消費電力モードを維持することで、不要な電力消費を低減することが可能となる。
【００４２】
また、制御部１０は、低消費電力モードにある場合に、ユーザ操作に起因しないイベントが発生した際に、遮蔽状態検出部４を起動させることとしたので、遮蔽状態検出部４をイベントが発生した場合だけ起動することで、遮蔽状態検出部４の消費電力を低減することが可能となる。
【００４３】
また、低消費電力モードは、少なくとも表示部２Ｂの低電力制御を含むこととしたので、消費電力の大きい表示部の電力を低減することが可能となる。
【００４４】
また、ユーザ操作に起因しないイベントは、音声着信、メール着信、及びアラームのうちの少なくとも１つであることとしたので、音声着信、メール着信、及びアラーム等があった場合に、消費電力を低減することが可能となる。
【００４５】
また、遮蔽状態検出部４を筐体２０の第１面（正面）１Ａに配置し、物体の近接を検出した場合に、表示部２Ｂが遮蔽状態であると検出することとしたので、遮蔽状態検出部４を筐体２０の第１面（正面）１Ａに配置した構成において、表示部２Ｂの遮蔽状態を検出することが可能となる。
【００４６】
また、遮蔽状態検出部４は、筐体の第２面（背面）１Ｂに配置し、物体の近接を検出しなかった場合に、表示部２Ｂが遮蔽状態であると検出することとしたので、遮蔽状態検出部４を筐体２０の第２面（背面）１Ｂに配置した構成において、表示部２Ｂの遮蔽状態を検出することが可能となる。
【００４７】
なお、上記実施の形態１では、遮蔽状態検出部４として近接センサを用いることにしたが、表示部２Ｂの遮蔽状態を検出するために、輝度センサを用いることにしてもよい。また、近接センサと輝度センサを組み合わせて使用することにしてもよい。
【００４８】
（実施の形態２）
図６〜図８を参照して、実施の形態２に係る携帯電話端末１を説明する。図６は、実施の形態２に係る携帯電話端末１の外観を示す背面図である。筐体２０の正面１Ａの構成は実施の形態１（図１及び図２）と同様であるのでその説明は省略する。図６に示すように、携帯電話端末１は、筐体２０の正面１Ａとは反対側の面である背面１Ｂに、第２表示部１２と、第２レシーバ１３と、第２マイク１４とが配置されている。第２表示部１２は、背面１Ｂの上方に、短手方向に延在した長方形状を呈しており、表示部２Ｂよりも面積が小さくなっている。
【００４９】
第２マイク１４は、背面１Ｂの長手方向の一方の端部に配置されており、第２レシーバ１３は、正面１Ａの長手方向の他方の端部に配置されている。すなわち、第２レシーバ１３と第２マイク１４とは、長手方向の両端にそれぞれ配置されている。また、第２表示部１２は、常時露出しており、筐体２０によって隠れない構成となっている。なお、第２表示部１２は、表示部２Ｂと同じ大きさにしてもよく、また、第２表示部１２にタッチセンサを重畳させてタッチパネルを構成することにしてもよい。
【００５０】
図７は、実施の形態２に係る携帯電話端末１のブロック図である。図７において、図４と同等の機能を有する部位には同一符号を付して、共通する部分の説明を省略し、異なる点についてのみ説明する。実施の形態２に係る携帯電話端末１は、実施の形態１（図４）に、第２表示部１２と、第２レシーバ（第２音声出力部）１３と、第２マイク（第２音声入力部）１４を追加した構成となっている。第２表示部１２は、例えば、液晶ディスプレイ（ＬＣＤ：Liquid  Crystal  Display）や、有機ＥＬ（Organic  Electro−Luminescence）パネルなどで構成され、文字や図形等を表示する。第２レシーバ１３は、制御部１０から送信される音声信号を音声として出力する。第２マイク１４は、利用者等の音声を音声信号へ変換して制御部１０へ出力する。
【００５１】
図８は、制御部１０における低消費電力モードにある場合の処理の一例を説明するためのフローチャートである。図８において、図５と同等の処理を行うステップには同一の番号を付してある。図８において、携帯電話端末１は低消費電力モード（表示部２Ｂが消灯状態及びタッチセンサ２ＡがＯＦＦ状態）にあるものとする。まず、制御部１０は、ユーザ操作に起因しないイベント（例えば、メール着信、音声着信、アラーム等）が発生したか否かを判断する（ステップＳ１）。制御部１０は、ユーザ操作に起因しないイベントが発生した場合には（ステップＳ１の「Ｙｅｓ」）、遮蔽状態検出部４を起動し（ステップＳ２）、表示部２Ｂが遮蔽状態にあるか否かを検出させる（ステップＳ３）。この検出の結果、表示部２Ｂが遮蔽状態にある場合には（ステップＳ４の「Ｙｅｓ」）、制御部１０は、低消費電力モードを維持して（表示部２Ｂの消灯状態を及びタッチセンサ２ＡのＯＦＦを維持）、第２表示部１２を点灯し、第２レシーバ１３からの音声出力を可能とし、第２マイク１４からの音声入力を可能とする（ステップＳ１１）。他方、表示部２Ｂが遮蔽状態にない場合には（ステップＳ４の「Ｎｏ」）、制御部１０は、低消費電力モードを解除して（表示部２Ｂを点灯及びタッチセンサ２ＡをＯＮとする）、第１レシーバ７の音声出力を可能とし、第１マイク８の音声入力を可能とする（ステップＳ１２）。
【００５２】
以上説明したように、実施の形態２によれば、筐体２０の第２面（背面）１Ｂに配置される第２表示部１２を備え、制御部１０は、低消費電力モードにある場合に、ユーザ操作に起因しないイベントが発生した際には、遮蔽状態検出部４で表示部２Ｂが遮蔽状態にあると検出されたときは、第２表示部１２の表示を可能とすることとしたので、表示部２Ｂが見えていない場合でも第２表示部１２が見えている場合があるので、その場合に第２表示部１２を表示することが可能となる。
【００５３】
また、筐体２０の第１面（正面）１Ａに配置される第１レシーバ７と、筐体２０の第２面（背面）１Ｂに配置される第２レシーバ１３と、を備え、制御部１０は、低消費電力モードにある場合に、ユーザ操作に起因しないイベントが発生した際には、遮蔽状態検出部４で表示部２Ｂが遮蔽状態にあると検出されたときは、第１レシーバ７からの音声出力を抑制し、第２レシーバ１３からの音声出力を可能とすることとしたので、表示部２Ｂが見えていない場合でも第２表示部１２が見えている場合があるので、その場合に背面からの音声出力が可能となる。
【００５４】
（実施の形態３）
図９及び図１０を参照して、実施の形態３に係る携帯電話端末１を説明する。実施の形態３の携帯電話端末１の外観構成は実施の形態２と同様である。図９は、実施の形態３に係る携帯電話端末１のブロック図である。図９において、図７と同等の機能を有する部位には同一符号を付して、共通する部分の説明を省略し、異なる点についてのみ説明する。
【００５５】
実施の形態３に係る携帯電話端末１は、図９に示すように、実施の形態２（図７）の構成に、姿勢検出部３０を追加した構成となっている。姿勢検出部３０は、筐体２０の正面１Ａが鉛直方向上側を向いている第１の姿勢にあるのか、正面１Ａが鉛直方向下側を向いている第２の姿勢にあるのかを検出して、その検出を制御部１０に出力する。すなわち、筐体２０の正面１Ａが上向きにして置かれているのか、下向きにして置かれているのかを検出する。
【００５６】
姿勢検出部３０は、携帯電話端末１の姿勢、具体的には筐体２０の姿勢を検出する検出器である。姿勢検出部３０としては、姿勢を検出する種々の方法の検出器を用いることができ、例えば、加速度センサ（具体的には３軸の加速度センサ）で姿勢を検出する検出器や、ジャイロセンサ（具体的には３軸のジャイロセンサ）で姿勢を検出する検出器や、３軸のジャイロと３軸の加速度センサとの組み合わせ等で姿勢を検出する検出器を用いることができる。姿勢検出部３０として加速度センサを用いる場合、加速度センサを筐体２０の所定位置に固定し、加速度センサの検出結果から重力加速度の方向、つまり鉛直方向を算出し、加速度センサが固定されている向きと重力加速度の方向との関係に基づいて筐体２０の向きを検出することができる。姿勢検出部３０は、携帯電話端末１の姿勢を検出し、検出結果を制御部１０に送る。制御部１０は、省電力モードにある場合に、ユーザ操作に起因しないイベントが発生した場合に、姿勢検出部３０を起動して、携帯電話端末１の姿勢を検出させる。
【００５７】
図１０は、制御部１０における低消費電力モードにある場合の処理の一例を説明するためのフローチャートである。図１０において、図８と同等の処理を行うステップには同一の番号を付してある。図１０において、携帯電話端末１は低消費電力モード（表示部２Ｂが消灯状態及びタッチセンサ２ＡがＯＦＦ状態）にあるものとする。まず、制御部１０は、ユーザ操作に起因しないイベント（例えば、メール着信、音声着信、アラーム等）が発生したか否かを判断する（ステップＳ１）。制御部１０は、ユーザ操作に起因しないイベントが発生した場合には（ステップＳ１の「Ｙｅｓ」）、遮蔽状態検出部４を起動し（ステップＳ２）、表示部２Ｂが遮蔽状態にあるか否かを検出させる（ステップＳ３）。この検出の結果、表示部２Ｂが遮蔽状態にない場合には（ステップＳ４の「Ｎｏ」）、制御部１０は、低消費電力モードを解除して（表示部２Ｂを点灯及びタッチセンサ２ＡをＯＮ）、第１レシーバ７の音声出力を可能とし、第１マイク８の音声入力を可能とする（ステップＳ２６）。
【００５８】
他方、表示部２Ｂが遮蔽状態である場合には（ステップＳ４の「Ｙｅｓ」）、制御部１０は、姿勢検出部３０を起動し、携帯電話端末１の姿勢を検出させる（ステップＳ２２）。制御部４は、姿勢検出部３０の検出が終了すると、姿勢検出部３０をＯＦＦとする。この検出の結果、第１の姿勢（筐体２０の正面１Ａが鉛直方向上向き）である場合には、制御部１０は、低消費電力モードを維持して（表示部２Ｂの消灯状態及びタッチセンサ２ＡのＯＦＦ状態を維持）、第１レシーバ７の音声出力を設定されているものよりも大きくする（ステップＳ２５）。他方、第２の姿勢（筐体２０の正面１Ａが鉛直方向下向き）である場合には、制御部１０は、低消費電力モードを維持して（表示部２Ｂの消灯状態及びタッチセンサ２ＡのＯＦＦ状態を維持）、第１マイク８からの音声入力を抑制し、第２マイク１４からの音声入力を可能とする（ステップＳ２４）。
【００５９】
以上説明したように、実施の形態３によれば、筐体２０の第１面（正面）１Ａが鉛直方向上側を向いている第１の姿勢と、第１面（正面）１Ａが鉛直方向下側を向いている第２の姿勢とを検出可能な姿勢検出部３０を備え、制御部２０は、低消費電力モードにある場合に、ユーザ操作に起因しないイベントが発生した際には、遮蔽状態検出部４で表示部２Ｂが遮蔽状態にあると検出され、さらに、姿勢検出部１５で第１の姿勢が検出されたときは、第１レシーバ７の音声出力を設定されているものよりも大きくすることとしたので、表示部２Ｂが上向きに置かれ、表示部２Ｂが遮蔽されている場合（例えば、表示部２Ｂの上に紙等が置かれている場合）に、第１レシーバ７からの音声出力を大きくすることで、ユーザにイベントの発生をより明確に知らせることができる。
【００６０】
また、実施の形態３によれば、筐体２０の第１面（正面）１Ａに配置される第１マイク８と、筐体２０の第２面（背面）１Ｂに配置される第２マイク１４と、を備え、制御部１０は、低消費電力モードにある場合に、ユーザ操作に起因しないイベントが発生した際には、遮蔽状態検出部４で表示部２Ｂが遮蔽状態にあると検出され、さらに、姿勢検出部３０で第２の姿勢が検出された場合は、第１マイク８からの音声入力を抑制し、第２マイク１４からの音声入力を可能とすることとしたので、第２表示部１２が上向きに置かれた状態で、第２マイク１４からの音声入力が可能となる。
【００６１】
なお、上記実施の形態１〜３は、単独でも組み合わせて実施してもよい。本発明の装置、方法、及びプログラムの実施の形態１〜３は、特許請求の範囲に示す本発明の範囲を限定するものではなく、単に本発明の選択した実施の形態の一例を示すものであって、特許請求の範囲に示す本発明と矛盾無く装置及び方法についての選択した実施の形態を単に示すものである。当業者は、特定の細目の１つ以上が無くても、又は他の方法、部品、モジュール、材料でも本発明を実現することができる。また、当業者は、フローチャートで示した処理の各ステップを、順番の変更、ステップの削除、新たなステップの追加が可能である。
【００６２】
また、上記の実施形態では、表示手段としてタッチパネルを有する電子機器に本発明を適用する例について説明したが、本発明は、表示手段として、タッチセンサが重畳されていない単なる表示パネルを有する電子機器に適用することもできる。また、低消費電力モードでは、少なくともタッチパネル２の省電力制御を行うこととしたが、各種ランプやキー照光等もＯＦＦすることにしてもよい。また、低消費電力モードは、消費電力が異なる複数の状態（ステート）を有していてもよい。
【符号の説明】
【００６３】
１  携帯電話端末
１Ａ  正面
１Ｂ  背面
２  タッチパネル
２Ａ  タッチセンサ
２Ｂ  表示部
３  入力部
４  遮蔽状態検出部
５  電源部
６  通信部
７  第１レシーバ（第１音声出力部）
８  第１マイク（第１音声入力部）
９  記憶部
９Ａ  メールプログラム
９Ｂ  ブラウザプログラム
９Ｃ  表示通知制御プログラム
９Ｄ  電力制御プログラム
１０  制御部
１１  ＲＡＭ
１２  第２表示部
１３  第２レシーバ（第２音声出力部）
１４  第２マイク（第２音声入力部）
２０  筐体
３０  姿勢検出部
【図１】
0005762785.tif 000002
【図２】
0005762785.tif 000003
【図３】
0005762785.tif 000004
【図４】
0005762785.tif 000005
【図５】
0005762785.tif 000006
【図６】
0005762785.tif 000007
【図７】
0005762785.tif 000008
【図８】
0005762785.tif 000009
【図９】
0005762785.tif 000010
【図１０】
0005762785.tif 000011